(57)【要約】【課題】  時計用ステップモータのロータの製造過程で発生するロータ磁石の割れ、この割れが起因となるロータ保持力の弱さを解決し、生産性の優れた時計用ステップモータを提供することある。【解決手段】  ロータ軸１にロータ磁石２を挿入後、ロータ軸１にロータ座３を挿入すると共に、ロータ座３の軸穴部３ａをロータ軸３の軸方向に押し込むことによりロータ座３のダイアフラム部３ｃを塑性変形させ、ロータ軸１のカナ部１ａとロータ座３の支持部３ｂと軸穴部３ａとによってロータ磁石２を挟み込んでロータ軸１上に固着する。このようにロータ座３の押し込みのとき、ロータ座３を塑性変形させることでロータ磁石２には過度の押し込み圧力が掛かることがなくなり、ロータ磁石２の割れ防止と共に適切な保持力をロータ磁石２に与えることができるようになった。【選択図】      図１  
2005249433.tif 000002
【特許請求の範囲】
【請求項１】
ロータカナとホゾ部を有し回転軸を構成するロータ軸と、該ロータ軸に装着されるリング状のロータ磁石と、前記ロータ軸に装着され前記ロータ磁石を保持するロータ座からなる時計用ステップモータのロータにおいて、前記ロータ座を前記ロータ軸と径方向で係合する軸穴部と、前記ロータ軸の軸方向で前記ロータ磁石をリング状に支持する支持部と、前記軸穴部と前記支持部とを接続するダイヤフラム部とから構成し、前記ロータ軸に前記ロータ磁石を挿入後、前記ロータ軸に前記ロータ座を挿入すると共に、前記ロータ座の前記軸穴部を前記ロータ軸の軸方向に押し込むことにより前記ダイヤフラム部を塑性変形させ、前記ロータ軸の前記カナ部と前記ロータ座の前記支持部と前記軸穴部とによって前記ロータ磁石を挟み込んで前記ロータ軸上に固着したことを特徴とする時計用ステップモータのロータ。
【請求項２】
前記ロータ座は銅系、又は鉄系金属の材料からなることを特徴とする請求項１に記載の時計用ステップモータのロータ。
【請求項３】
前記ダイヤフラム部の厚みは１００μｍ以下であることを特徴とする請求項１又は請求項２に記載の時計用ステップモータのロータ。
【発明の詳細な説明】
【技術分野】
【０００１】
本発明は、時計用ステップモータのロータにおいてのロータ軸上のロータ磁石固着手段に関するものである。
【背景技術】
【０００２】
従来の時計用ステップモータのロータは、ロータ軸とロータ軸に装着されるリング状のロータ磁石と、ロータ軸と径方向で係合すると共にロータ磁石をロータ軸の軸方向に保持する板状のロータ座で構成している。この円板状のロータ座の使用はロータ磁石の割れ、およびロータ磁石の保持力の低下を招く結果になっている。
【０００３】
ところで、時計用ステップモータのロータのロータ磁石の割れ、ロータ磁石の保持力の低下を防止する構造は従来より多くの出願を見るところである（例えば特許文献１参照。）。
【０００４】
以下、図２を用いて時計用ステップモータのロータの従来の技術を説明する。
図２は従来の時計用ステップモータのロータの構造を示す断面図である。
【０００５】
１は、ロータカナ１ａとホゾ１ｂを有し回転軸を構成するロータ軸、２はロータ軸１に装着されるリング状のロータ磁石、４は円板状のロータ座で、ロータ座４はロータ軸１と径方向で係合する軸穴部４ａと、ロータ軸１の軸方向でロータ磁石２を支持する支持部４ｂで構成されている。
【０００６】
次に、従来の時計用ステップモータのロータの組立方法に関して説明をする。図２のように、ロータ軸１にロータ磁石２を挿入後、ロータ軸１にロータ座４のロータ軸１と径方向で係合する軸穴部４ａを挿入する。
【０００７】
この状態で、ロータ座４の軸穴部４ａをロータ軸１の軸方向に押し込むことにより、ロータ軸１のカナ部１ａとロータ座４の支持部４ｂとは径嵌合によって係止され、これによりロータ磁石２はロータ軸１のカナ部１ａとロータ座４の支持部４ｂとにより挟み込まれ、ロータ軸１上に固着される。
【０００８】
このように、従来の時計用ステップモータのロータはロータ磁石を剛体と剛体の間に挟みこむタイプであり、考え方がシンプルで一見何ら欠点が存在しないかのように思われている。
【０００９】
【特許文献１】実開平５−３４２０４号公報（第３頁、第１図）
【発明の開示】
【発明が解決しようとする課題】
【００１０】
しかしながら、ロータ座４をロータ軸１の軸方向の押し込む時にロータ磁石２割れが発生することがしばしばあり、又、ロータ磁石２割れを気にするあまりロータ磁石２を保持する力が弱くなるという問題を抱えていた。
このように、従来の時計用ステップモータのロータにおいては、ロータ磁石割れが発生したり、ロータ磁石の保持力が弱いという課題があった。
本発明の目的は、ロータ磁石割れもなく、ロータ磁石を保持する力の強い時計用ステップモータのロータの構造を提供することである。
【課題を解決するための手段】
【００１１】
本発明は、上記目的を達成するため、ロータカナとホゾ部を有し回転軸を構成するロータ軸と、該ロータ軸に装着されるリング状のロータ磁石と、前記ロータ軸に装着される前記ロータ磁石を保持するロータ座からなる時計用ステップモータのロータにおいて、前記ロータ座を、前記ロータ軸と径方向で係合する軸穴部と、前記ロータ軸の軸方向で前記ロータ磁石をリング状に支持する支持部と、前記軸穴部と前記支持部とを接続するダイヤフラムとから構成し、前記ロータ軸に前記ロータ磁石を挿入後、前記ロータ軸に前記ロータ座を挿入すると共に、前記ロータ座の前記軸穴部を前記ロータ軸の軸方向に押し込むことにより前記ダイヤフラム部を塑性変形させ、前記ロータ軸の前記カナ部と前記ロータ座の前記支持部と前記軸穴部とによって前記ロータ磁石を挟み込んで前記ロータ軸上に固着したことを特徴とする。
【００１２】
このように構成することによって、ロータ軸にロータ磁石を挿入後、ロータ座の軸穴部をロータ軸の軸方向に押し込むだけでロータ磁石の割れを気にすることもなくロータ磁石の固着が可能になり、円板状のロータ座等に比べて非常に短時間で組立が可能で、しかも余分な材料も、余分な時間も必要なくなり、時計用ステップモータのロータのコストダウンを図ることができる。
【００１３】
また、前記ロータ座は銅系、又は鉄系金属の材料からなることを特徴とする。
【００１４】
このように構成することによって、ダイヤフラム部を塑性変形させやすくすることで、ロータ磁石の割れを防止し、且つロータ磁石の保持力の向上を計ることができる。
【００１５】
また、前記ダイヤフラム部の厚さは１００μｍ以下であることを特徴とする。
【００１６】
このようにダイヤフラム部の厚さを１００μｍ以下とすることにより、ダイヤフラム部の弾性力が弱くなり、より塑性変形がしやすくなり、その組立性も向上する。
【発明の効果】
【００１７】
本発明の時計用ステップモータのロータは、従来の時計用ステップモータのロータと同じロータ軸とロータ磁石とロータ座で構成されるために、従来と同じ生産方法が使えるので、新技術の導入なしに、時計用ステップモータのロータの組立時におけるロータ磁石の割れの解消、及びロータ磁石の保持力の向上を図ることができる。
また、本発明によれば、生産上の問題点である上記ロータ磁石の割れの解消できることと共に、ロータ磁石の保持力の向上が図ることができるので、信頼性の高い、安価な時計用ステップモータのロータを提供する事ができる。
【発明を実施するための最良の形態】
【００１８】
以下、本発明の実施形態に関し図面に基づいて詳細に説明する。
図１は、時計用ステップモータのロータを示す断面図で、図１（ａ）はロータ軸にロータ磁石を挿入後にロータ座を挿入しただけの状態を示すロータの断面図、図１（ｂ）はロータ座のダイヤフラム部を塑性変形させた状態を示すロータの完成状態を示すロータの断面図である。
【００１９】
１は、ロータカナ１ａとホゾ１ｂを有し回転軸を構成するロータ軸、２はロータ軸１に装着されるリング状のロータ磁石で、本実施例では希土類磁石より構成されている。３はロータ軸１と径方向で係合する軸穴部３ａと、ロータ軸１の軸方向でロータ磁石２をリング状に支持する支持部３ｂと、軸穴部３ａと支持部３ｂとを接続するダイヤフラム部３ｃとから構成されたロータ座で、ロータ座３は、本実施例では銅系のＰＢＢＦ材料から構成
されており、ダイヤフラム部３ｃの厚さは、８０μｍのものを採用した。
【００２０】
次に、組立方法に関して説明する。まず、図１（ａ）のように、ロータ軸１にロータ磁石２を挿入後、ロータ軸１にロータ座３のロータ軸１と径方向で係合する軸穴部３ａを挿入する。
【００２１】
この状態で、図１（ｂ）のように、ロータ座３の軸穴部３ａをロータ軸１の軸方向に押し込むことによりダイヤフラム部３ｃを塑性変形させる。この結果、ロータ軸１のカナ部１ａと、ロータ座３の支持部３ｂと軸穴部３ａとによってロータ磁石は挟み込まれ、ロータ軸１上に固着される。
【００２２】
なお、本実施例ではロータ座３を銅系のＰＢＢＦ材料としたが、鉄系金属の材料であるＳＫ４Ｆで形成しても良い。また、ダイヤフラム部３ｃの厚みを、８０μｍとしたが、１００μｍ以下であれば、塑性変形時の抵抗が少なく、組立が容易となる。
【図面の簡単な説明】
【００２３】
【図１】本発明の時計用ステップモータのロータの断面図で、（ａ）はロータ軸にロータ磁石を挿入後にロータ座を挿入しただけの状態を示すロータの断面図、（ｂ）はロータ座のダイヤフラム部を塑性変形させた完成状態を示すロータの断面図である。
【図２】従来の時計用ステップモータのロータの完成状態を示す断面図である。
【符号の説明】
【００２４】
１  ロータ軸
２  ロータ磁石
３  ロータ座
【図１】
2005249433.tif 000003
【図２】
2005249433.tif 000004